(57)【要約】      （修正有）【課題】キャスター付きの家具類、台車類が地震等の大きい震動によって、走行移動することを確実に阻止し、他の家具類や設備への衝突損壊や近隣者との衝突事故などを防止してこれ等の安全を確保するキャスターロック装置を提供する。【解決手段】キャスター１００の車輪１０１の側面に凹嵌部１０２を設け、この凹嵌部１０２に永久磁石２０１を設けたロックピストン２００と、キャスターの車輪軸受部１０３に装着したシリンダ３００と、磁石収容ボックス４００とを設ける。磁石収容ボックス４００内の磁石ホルダー５００において、直列連結した一対の永久磁石５０１，５０２と、前記磁石ホルダー５００に操作ワイヤ６０１の一端を連結し、他端を磁石収容ボックス４００外の操作スイッチ６０２に連結し、操作スイッチ６０２のワイヤ押込操作と牽引操作により磁石ホルダー５００を移動させるリモートコントローラ６００と、を備える。【選択図】図１
0003176746.tif 000002
【実用新案登録請求の範囲】
【請求項１】
キャスター（１００）の車輪（１０１）の側面に凹嵌部（１０２）を設け、この凹嵌部（１０２）に前部を出し入れ可能にし後部に磁極Ｓ，Ｎを前後面側にした永久磁石（２０１９を設けたロックピストン（２００）と、キャスターの車輪軸受部（１０３）に装着し前記ロックピストン（２００）を前後摺動自在に収容するシリンダ（３００）と、シリンダ（３００）の後部に直交関係で連通設置した磁石収容ボックス（４００）と、磁石収容ボックス（４００）内で左右摺動自在に設けられシリンダ（３００）の後部への到来と後部からの退避を可能に磁石ホルダー（５００）で直列連結し前後面の磁極Ｓ，Ｎを互いに交互にした一対の永久磁石（５０１，５０２）と、前記磁石ホルダー（５００）の一側部に操作ワイヤ（６０１）の一端を連結し操作ワイヤ（６０１）の他端を磁石収容ボックス（４００）外の操作スイッチ（６０２）に連結し磁石収容ボックス（４００）と操作スイッチ（６０２）間の操作ワイヤ部を摺動自在に鞘（６０３）で被覆し、操作スイッチ（６０２）のワイヤ押込操作と牽引操作により磁石ホルダー（５００）を移動させるリモートコントローラ（６００）と、
を備えてなることを特徴とするキャスターロック装置。
【請求項２】
ロックピストンの永久磁石の後面磁極をＳとし、一対の一方の永久磁石の前面磁極をＳとし、他方の永久磁石の前面磁極をＮとし、又はロックピストンの永久磁石の後面磁極をＮとし、一対の一方の永久磁石の前面磁極をＮとし、他方の永久磁石の前面磁極をＳとしたことを特徴とする請求項１に記載のキャスターロック装置。
【考案の詳細な説明】
【技術分野】
【０００１】  本考案は、キャスターロック装置に関するものである。
【背景技術】
【０００２】  キャスターを付設した家具類は、地震などの振動によって大きく変位移動し或いは転倒して、家具類をおいた部屋を利用する生活者に衝突して怪我をさせたり、他の家具類同士や壁などに衝突して損壊させるなど甚だ危険な状態を招く。【０００３】  又、キャスターを付設した台車類は、地震などの振動によって大きく変位移動し或いは転倒して、通路等を塞いで障害物となり通行妨害を起こす。また通路を通行している人に衝突して怪我をさせたり、近隣物体に衝突して損壊させるなど甚だ危険である。
これらを防止する装置として、キャスターの回転をロックする装置所謂キャスターロック装置がある。【０００４】  従来のキャスターロック装置は、車輪の回転軸の軸受け部に、車輪の両側面を締め込んでその回転をロック・解除するカム式ブレーキを設けたもの、或いは車輪の外周面に圧接・解除する押圧式ブレーキを設けたものが一般的である。【０００５】  この従来のキャスターロック装置は、何れもブレーキによる車輪の回転ロックと解除は、手作業より主に足踏み作業で行うレバーを有する。このため静止状態に置くときは少なくとも二個の車輪に対してブレーキ操作とその解除をする繁雑さを伴う。
またこのブレーキ操作の掛け忘れによる前記した各種の人身事故及び物損事故が多く懸念される。
【考案の概要】
【考案が解決しようとする課題】
【０００６】  本考案は、キャスター付きの家具類、台車類等が地震等の大きい震動によって、走行移動することを確実に阻止して、走行移動による自損事故、および他の家具類や設備の衝突損壊、或いは近隣者との衝突事故、などの二次被害も防止してこれ等の安全を確保するキャスターロック装置を提供するものである。
【課題を解決するための手段】
【０００７】  本考案は上記の課題を満足するキャスターロック装置でありその特徴とするところは図１〜図６の実施例に示すように、次の（１）〜（２）の通りである。
（１）、キャスター１００の車輪１０１の側面に凹嵌部１０２を設け、この凹嵌部１０２に前部を出し入れ可能にし後部に磁極Ｓ，Ｎを前後面側にした永久磁石２０１を設けたロックピストン２００と、キャスターの車輪軸受部１０３に装着し前記ロックピストン２００を前後摺動自在に収容するシリンダ３００と、シリンダ３００の後部に直交関係で設けた磁石収容ボックス４００と、磁石収容ボックス４００内で左右摺動自在に設けられシリンダ３００の後部への到来と後部からの退避を可能に磁石ホルダー５００で直列連結し前後面の磁極Ｓ，Ｎを互いに交互にした一対の永久磁石５０１，５０２と、前記磁石ホルダー５００の一側部に操作ワイヤ６０１の一端を連結し操作ワイヤ６０１の他端を磁石収容ボックス４００外の操作スイッチ６０２に連結し磁石収容ボックス４００と操作スイッチ６０２間の操作ワイヤ部を摺動自在に鞘６０３で被覆し操作スイッチのワイヤ押込操作と牽引操作により磁石ホルダー５００を左右に移動させるリモートコントローラ６００と、
を備えてなることを特徴とするキャスターロック装置。【０００８】（２）、ロックピストン２００の永久磁石２０１の後面磁極をＳとし、一対の一方の永久磁石５０１の前面磁極をＳとし、他方の永久磁石５０２の前面磁極をＮとし、又はロックピストンの永久磁石の後面磁極をＮとし、一対の一方の永久磁石の前面磁極をＮとし、他方の永久磁石の前面磁極をＳとしたことを特徴とする前記（１）に記載のキャスターロック装置。
【考案の効果】
【０００９】  本考案のキャスターロック装置は、堅牢単純構造、簡単な遠隔操作性、永久磁石活用のエネルギーレスで半永久的使用を可能にした前記特徴とする構成により、前記目的を完全にクリアーするものである。即ち、キャスター付きの家具類、台車類が地震等の大きい震動によって、走行移動することを確実に阻止して、走行移動による自損事故、および他の家具類や設備の損壊、或いは近隣者との衝突事故、などの二次被害を防止してこれ等の安全を確保する優れた作用効果を有するものである。
【図面の簡単な説明】
【００１０】
【図１】本考案のキャスターロック装置の実施例１で、車輪をロックした状態を示し、（１）は（２）の矢視Ｂ１−Ｂ１から見た部分を断面で示す全体側面説明図であり、（２）は（１）の矢視Ａ１−Ａ１から見た部分を断面で示す説明図である。
【図２】車輪をロック解除した状態を示し、（１）は（２）の矢視Ｂ２−Ｂ２から見た部分を断面で示す全体側面説明図であり、（２）は（１）の矢視Ａ２−Ａ２から見た部分を断面で示す説明図である。
【図３】図１の矢視Ｃ−Ｃから見た側面説明図である。
【図４】ロックピストンの斜視説明図である。
【図５】リモートコントローラのスイッチボックス内に補助用のスプリングとストッパーを設置した例を示す断面図である。
【図６】磁石収容ボックス内にスプリングを設置し、リモートコントローラのスイッチボックス内にストッパーを設置した例を示す断面図である。
【図７】リモータコントローラの変形例を示す説明図である。
【考案を実施するための形態】
【００１１】  本考案を実施するための一形態を後述の実施例により詳細に説明する。
【実施例１】
【００１２】本例のキャスターロック装置を図１〜図６にて紹介する。
本例のキャスターロック装置は、キャスター１００の車輪１０１の側面に設けた凹嵌部１０２と、凹嵌部１０２への嵌合離脱用のロックピストン２００と、ロックピストン２００用のシリンダ３００と、磁石収容ボックス４００と、一対の永久磁石５０１，５０２とその磁石ホルダー５００と、リモートコントローラ６００とからなる。【００１３】  凹嵌部１０２は、車輪の１側に図４に示すように車輪軸と平行な深さで位置合わせ用の余裕代を周方向に長穴状に形成する。この凹嵌部１０２は周方向に等回転角度間隔で複数個設けて、ロックピストン２００との位置合わせがし易いように配置してある。【００１４】ロックピストン２００は摩擦係数が極力小く且つ強度靱性に優れた非磁性材の金属製又は硬質樹脂等で成形し、図４の斜視図にも示すように、前記凹嵌部１０２に前部を出し入れ可能にし後部に、磁極を前後面側にしたピストン駆動用の永久磁石２０１を設けてある。また胴部外周にシリンダ３００内移動のガイドと被ストッパーを兼ねたリング２０２を設置してある。【００１５】シリンダ３００は、摩擦係数が極力小く且つ強度靱性に優れた非磁性材の金属製又は硬質樹脂等で成形し、キャスター１００の軸受部１０３に装着し、前後にロックピストン２００のリング２０２用の移動制限ストッパー部３０１を形成し、前記ロックピストン２００を内部の所定区間を摺動自在に収容する。【００１６】磁石収容ボックス５００は、摩擦係数の極力小さい非磁性材の金属製又は硬質樹脂等で成形し、シリンダ３００の後部に直交関係で連通設置してあり、内部に磁石ホルダー５００を左右摺動自在に収容する。【００１７】磁石ホルダー５００は摩擦係数の極力小さい非磁性材の金属製又は硬質樹脂等で成形し、一対の永久磁石５０１，５０２を直列に連結装着して、リモートコントローラ６００により磁石ホルダー５００内を円滑に左右摺動する。【００１８】一対の永久磁石５０１，５０２は、磁石収容ボックス４００内で、磁石ホルダー５００により同時に水平に左右に移動し、シリンダ３００の後部への到来と後部からの退避を可能に直列連結し前後面の磁極を互いに交互にしてある。【００１９】リモートコントローラ６００は、前記磁石ホルダー５００の一側部の中央部に連結したロッド６１０を介して操作ワイヤ６０１の一端を連結し、磁石収容ボックス４００内での磁石ホルダー５００の牽引と押し込みを上下左右に均等力を加わえて円滑な摺動を可能にし、一方、操作ワイヤ６０１の他端を磁石収容ボックス４００外の操作スイッチ６０２にロッド６２０を介して連結し、スイッチボックス６３０と磁石収容ボックス４００間のロッド移動ゾーンと操作ワイヤ移動ゾーンの周囲を金属螺旋コイル内装式の鞘６０３で遊合被覆したものである。操作スイッチ６０２は、キャスター付きの当該台車や家具類の、操作しやすい適宜な位置に取り付ける。【００２０】リモートコントローラ６００は、本例のレリーズタイプに限定されるものではなく、磁石収容ボックス４００内での一対の永久磁石５０１，５０２の移動操作を遠隔操作できるものであればよい。
例えば、本例の押込・牽引タイプのリモートコントローラの変形例として、図７に示すように、ワイヤの一端を磁石ホルダーの一端（前端部）に連結し、ワイヤの他端を磁石ホルダーの他端（後端部）に連結し、リターン側ワイヤをスイッチボックス内に設けたダイヤルスイッチに掛け、スイッチボックスと磁石収容ボックス間に位置する往復ワイヤ部を各々鞘（図示せず）で被覆し、ダイヤルスイッチの正・逆回転操作で往復ワイヤ部を介して磁石ホルダー５００を左右に移動させるタイプ等がある。【００２１】前記リモートコントローラ６００は前述の構成により、操作スイッチ６０２はロッド６１０を介してのワイヤ押込操作と牽引操作により、磁石ホルダー５００を介して永久磁石５０１，５０２を磁石収容ボックス４００内の所定位置に移動させ、シリンダ３００の後部への到来と後部からの退避を円滑に行う。【００２２】  そして、前記ロックピストンの２００の永久磁石２０１は、後面磁極をＳとし、前記一対の一方の永久磁石５０１は、前面磁極をＮとし、他方の永久磁石５０２は、前面磁極をＳとしてある。【００２３】  この構成により、本例のキャスターロック装置のロック解除は、リモートコントローラ６００のワイヤ操作スイッチ６０２を上に引き上げて操作ワイヤ６０１を所定長さ牽引することにより、図１の（１）に示すロック解除状態を維持する。つまり、ワイヤ操作スイッチ６０２のワイヤ牽引操作により一対の直列配置の永久磁石５０１，５０２を図１の（２）に示すように図に向かって左側に摺動移動させて、永久磁石５０２をシリンダ３００の後部から左側に退避させると同時に永久磁石５０１をシリンダ３００の後部に到来させる。これにより、シリンダ３００内のロックピストン２００の永久磁石２０１と永久磁石５０１が相互に磁力吸引作用してロックピストン２００を、瞬時に後退移動させ、シリンダ３００のストッパー部３０１によりこの後退移動を停止させ、磁石同士の間隔を僅少隙間に維持し磁石同士の磁着を避ける。
このロックピストン２００の後退移動によりロックピストン２００の前部を当該キャスターの凹嵌部１０２から挿出離脱する。この永久磁石２０１と永久磁石５０１との磁力吸引力は、リモートコントローラ６００のワイヤ操作スイッチ６０２を押し込み位置で停止固定させることができる。
また磁石同士の間隔を僅少隙間に維持して磁石同士の強力な磁着を避けているから、次のロックの際の永久磁石５０１退避が小力で円滑になし得る。【００２４】  次にロックの際は、リモートコントローラ６００のワイヤ操作スイッチ６０２を所定長さ下に押込み操作してワイヤを所定長さ押込むことにより、図２の（１）に示すロック状態に維持される。つまり、ワイヤ操作スイッチ６０２のワイヤ押込操作により一対の直列配置の永久磁石を５０１，５０２を図２の（２）に示すように図に向かって右側に摺動移動させて、永久磁石５０１をシリンダ３００の後部から右側に退避させると同時に永久磁石５０２をシリンダ３００の後部に到来させる。これにより、永久磁石５０２とシリンダ３００内のロックピストン２００のピストン駆動用の永久磁石２０１とは互いの反発離反作用により、ロックピストン２００を所定距離前進させ、ロックピストン２００の前部を当該キャスターの車輪の凹嵌部１０２内に挿入嵌合させる。
この永久磁石５０２と永久磁石２０１との反発離反作用力は、リモートコントローラのワイヤ操作スイッチ６０２に特に停止用のストッパーを設けることなく押し込み位置で停止固定させることができる。【００２５】一方、リモートコントローラ６００の操作スイッチ６０２による操作ワイヤ６０１の牽引と押し込みがより円滑に行えるように、例えば図５に示すようにリモートコントローラ６００のスイッチボックス６３０の底部内壁と操作スイッチ６０２間に位置するロッド６２０部の外周部に沿ってコイルスプリング或いはバネスプリング等のスプリング６０４を圧縮状態で配置し、操作スイッチ６０２のスプリング６０４に抗するワイヤ押込操作エンド位置を固定するストッパー６０５をスイッチボックス６３０内下部に設ける。
ストッパー６０５は、操作スイッチ６０２を手動で引揚げるだけで操作スイッチ６０２の固定を解除できる。この解除により手力を要することなくスプリング６０４の復元力で操作スイッチ６０２を上方のワイヤ牽引操作エンド位置に戻し、磁石ホルダー５００を左側所定位置に移動させロックピストン２００を磁力吸引作用でその前部を車輪１０１の凹嵌部１０２から離脱させ車輪ロックを解除する。【００２６】又は図６に示すように磁石収容ボックス４００内の側壁面と磁石ホルダー５００側部間で、この間にあるロッド６２０部の外周部に、コイルスプリング或いはバネスプリング等のスプリング６０６を圧縮状態で配置し、スイッチボックス６３０の上部の、ワイヤ牽引操作のエンド位置にストッパー６０７を設置する。このストッパー６０７は、操作スイッチ６０２のスプリング６０６に抗するワイヤ牽引操作エンド位置を固定し、その固定解除を手力による操作スイッチ６０２の所期押し込みのみで行い、この後はスプリング６０６の復元力でロッド６２０を下降させるワイヤ押込操作を行わせ、磁石ホルダー５００を右側所定位置に移動させロックピストン２００を反発磁力による離反作用により、ロックピストン２００の前部を車輪１０１の凹嵌部１０２に挿入し車輪ロックを行う。
【産業上の利用可能性】
【００２７】  本考案は、キャスター付きの家具類、台車類が地震等の大きい震動によって、走行移動することを確実に阻止して、走行移動による自損事故、および他の家具類や設備の衝突損壊、或いは近隣者との衝突事故、などの二次被害を防止してこれ等の安全を確保できるため、キャスター付き家具類及び台車類の製造産業界に、その生産者は勿論、使用するユーザーにも安心安全を保障するなど貢献すること多大なものがある。
【符号の説明】
【００２８】１００：キャスター
１０１：車輪
１０２：凹嵌部
１０３：車輪軸受部
２００：ロックピストン
２０１：永久磁石
３００：シリンダ
４００：磁石収容ボックス
５０１，５０２：永久磁石
５００：磁石ホルダー
６００：リモートコントローラ
６０１：操作ワイヤ
６０２：操作スイッチ
６０３：鞘
【図１】
0003176746.tif 000003
【図２】
0003176746.tif 000004
【図３】
0003176746.tif 000005
【図４】
0003176746.tif 000006
【図５】
0003176746.tif 000007
【図６】
0003176746.tif 000008
【図７】
0003176746.tif 000009